(57)【要約】【課題】洋上観測用ブイなどの水上観測装置のような、気圧導入手段を備えて気圧データを測定する水上設置装置において、海洋上の浮遊物などの障害があったとしても、装置の気圧導入口より大気(気圧)を確実に装置内部に導入して、正確な気圧データが測定できる水上設置装置を提供する。【解決手段】水上で浮遊されるように設置される容器本体と、その容器本体に内蔵される構成部材とを備える水上設置装置であって、前記容器本体の内部で気圧を測定するための気圧測定手段と、前記容器本体の外表面に設けられた気圧導入部の気圧導入口を経由して、外部から前記容器本体の内部に大気を導くための気圧導入手段と、を備え、前記気圧導入手段は、前記気圧導入口を冗長化する手段を備えて構成される。【選択図】    図１
2008151536.tif 000002
【特許請求の範囲】
【請求項１】
水上で浮遊されるように設置される容器本体と、その容器本体に内蔵される構成部材とを備える水上設置装置であって、
前記容器本体の内部で気圧を測定するための気圧測定手段と、
前記容器本体の上部外面に設けられた気圧導入部の気圧導入口を経由して、外部から前記容器本体の内部に大気を導くための気圧導入手段と、を備え、
前記気圧導入手段は、前記気圧導入口を冗長化する手段を備えて構成される、ことを特徴とする水上設置装置。
【請求項２】
請求項１に記載の水上設置装置において、
前記気圧導入口を冗長化する手段は、前記気圧導入口を複数備えることにより構成される、ことを特徴とする水上設置装置。
【請求項３】
請求項３に記載の水上設置装置において、
前記複数の気圧導入口は連設されて配置され、前記複数の気圧導入口から導入された大気は、共通する経路を通して前記容器本体の内部に導かれる、ことを特徴とする水上設置装置。
【発明の詳細な説明】
【技術分野】
【０００１】
本発明は、洋上または水上で浮遊されるように設置されて用いられる水上設置装置にかかり、より詳細には、海洋や河川及び湖沼等において種々の観測や浮標灯等に使用することが可能な多目的用のブイ、港湾施設等における航路標識用浮標灯、海底観測用の装置が搭載された海中ステーション等に切り離し可能に取り付けられるデータ伝送用のブイ、波浪観測あるいは流出油追跡に用いられる球体立体形状のブイ、などとして適用が可能な水上設置装置に関するものである。
【背景技術】
【０００２】
図４〜７は、水上設置装置の一例として、従来から海洋観測などに用いられている洋上ブイ１００を示す図であり、図４はブイ１００の外観斜視図であり、図５はブイ１００の内部状況と内蔵される構成部材とを示す構造図であり、図６はブイ１００の気圧導入部ｄと気圧導入口ｄ１とを示す断面図であり、図７は気圧導入口ｄ１に対する外的要因を説明するための図である。
【０００３】
図４に示したブイ１００は、円環状の同形のフランジ部(ｆ１、ｆ２)を端部に備えた２つの半球立体形状の容器上部本体ａ１と容器下部本体ａ２とを、両者(ａ１とａ２)のフランジ部(ｆ１、ｆ２)を対称的に組み合わせてネジ止めし、全体として円周状の鍔(フランジ)のある球体形状として構成したものである。
このブイ１００は、水上または洋上に設置される装置であり、容器下部本体ａ２側は水面下に沈んで容器上部本体ａ１側が水面上に出て浮かび、水上(洋上)で浮遊されるように設計されている。
【０００４】
このブイ１００の容器本体ａの内部には、次の図５に示すように、上部平面部ｈ１と下部平面部ｈ２とが二段で水平に設けられ、各種の構成部材がそこに配設される構造となっており、その上部平面部ｈ１上には、気圧測定のための気圧計ｋ１が設置されている。そして、容器上部本体ａ１の天井部(最上部)には、外部から大気(気圧)を導入するため気圧導入部ｄが設けられ、この気圧導入部ｄの内部にある気圧導入口ｄ１が設けられ、この気圧導入口ｄ１に続いて容器本体ａの内部を通過する導入路ｄ２が設けられ、大気(気圧)が気圧計ｋ１まで導入される構造となっている。
【０００５】
図４〜７に示すような従来のブイ１００では、その内部へ大気を導くための気圧導入口ｄ１を備える気圧導入部ｄは、１箇所のみが、容器上部本体ａ１の上部球面部ａ１'から突出されて配設されている。
ブイ１００の気圧導入口ｄ１は、図６に示すように、気圧導入部ｄの導入主部１２の内側に設けられていて、この気圧導入口ｄ１から大気を導入すると、続いた次の経路を介して装置の内部へ送られる。また、導入主部１２には、断面逆凹形のキャップ部材１１が、これに上から覆うように被せられている。
【０００６】
そして，ブイ１００には、図６，７に示すように、ブイ１００の上部球面部ａ１'の中央付近からその上方に向かって、この導入主部１２とこれをカバーするキャップ部材１１との間にはギャップ(隙間)１６が生じるように設定されており、このギャップ１６が大気を導く導入路となり、これを経由して、導入主部１２の気圧導入口ｄ１に、外部から大気が導入(供給)される。
【０００７】
ここで、ブイ１００に導入される大気は、気圧導入部ｄの気圧導入口ｄ１を有する導入主部１２において、断面略扇形のロート状の口元部１３→撥水シート１４→横方向の経路１５→縦方向の経路１６を経由し、続いて容器上部本体ａ１の導入路２０を通過して、容器本体ａの内部にある気圧測定のための気圧計ｋ１まで到達させられる。
【０００８】
このように、従来のブイ１００では、図４〜７に示したように、その内部へ大気を導くための気圧導入口ｄ１として１箇所の気圧取り入れ口が設けられているに過ぎず、この気圧導入口ｄ１のみを用いて、そこの気圧導入口ｄ１の防水と通気とを満足させた上で、外部から大気を導入しなければならなかった。
【０００９】
しかしながら、ブイ１００の気圧導入口ｄ１の構造では、海洋上の浮遊物などの影響として、例えば海草、くらげ、油などの障害物によって、その気圧導入口ｄ１の気圧取り入れ口が塞がれてしまうことがある。そうすると、ブイ１００への大気(空気)の導入(供給)ができなくなり、容器本体ａ内部に配置された気圧計ｋ１が異常値を示してしまい、正確なデータに基づく観測ができなくなる、という問題点があった。
【００１０】
本願発明の技術に関連する特許文献としては、例えば、つぎのようなものがある。
【特許文献１】実用新案登録第２５４１３６４号公報
【特許文献２】特開平２００１−１８０５７４号公報
【特許文献３】特開平０６−２０６５８８号公報
【発明の開示】
【発明が解決しようとする課題】
【００１１】
本発明は、このような問題を解決するためになされたものであり、洋上観測用ブイなどの水上観測装置のように、気圧導入手段を備えて気圧データを測定する水上設置装置において、海洋上の浮遊物などの障害があったとしても、装置の気圧導入口より大気(気圧)を確実に導入して、正確な気圧データが測定できる水上設置装置を提供することを、その目的としている。
【課題を解決するための手段】
【００１２】
（１）水上で浮遊されるように設置される容器本体と、その容器本体に内蔵される構成部材とを備える水上設置装置であって、
前記容器本体の内部で気圧を測定するための気圧測定手段と、
前記容器本体の上部外面に設けられた気圧導入部の気圧導入口を経由して、外部から前記容器本体の内部に大気を導くための気圧導入手段と、を備え、
前記気圧導入手段は、前記気圧導入口を冗長化する手段を備えて構成される。
【００１３】
（２）(１)の水上設置装置において、
前記気圧導入口を冗長化する手段は、前記気圧導入口を複数備えることにより構成される。
（３）(２)の水上設置装置において、
前記複数の気圧導入口は連設されて配置され、前記複数の気圧導入口から導入された大気は、共通する経路を通して前記容器本体の内部に導かれる。
【発明の効果】
【００１４】
本発明による水上設置装置は、装置の外部から大気(気圧)を導入する手段を備え、装置内部の気圧データを測定する装置であって、この気圧導入手段は、気圧導入口部を冗長化する手段を備えて構成されているので、海洋上の浮遊物などの障害があったしても、気圧導入口より装置内部に確実に大気(気圧)を導入して、正確な気圧データが測定できる、水上設置装置を提供することができる
【発明を実施するための最良の形態】
【００１５】
本発明による水上設置装置の実施の形態について、図１〜３を参照して説明する。ここで、図１は本発明による水上設置装置の一実施形態である海洋観測用ブイ２００の構成を示す構造図であり、図２は海洋観測用ブイ２００の気圧導入口を冗長化する手段の一例である冗長化された構成を示す図であり、図３は図２の海洋観測用ブイ２００の気圧導入口の冗長化された構成を分解して示す図である。
【００１６】
図１に示した海洋観測用ブイ２００は、水上で浮遊されるように設置される容器本体Ａと、その容器本体Ａに内蔵される構成部材とを備えて水上に設置される装置であって、容器本体Ａの内部で気圧を測定するための気圧測定手段(気圧計Ｋ)と、容器上部本体Ａ１の上部の外表面から突出されて配設された気圧導入部Ｄとを経由して、外部から容器本体Ａの内部に大気を導くための気圧導入手段と、を備えている。
【００１７】
この海洋観測用ブイ２００は、外部から気圧を効率的で確実に導入するための構成として、気圧導入口を冗長化させた構成を採用しており、具体的には、「第１気圧導入部Ｄ１の気圧導入口Ｄａ」と「第２気圧導入部Ｄ２の気圧導入口Ｄｂ」という、２つの気圧導入口を備えている。
そして、気圧導入部(Ｄ１とＤ２)にある２つの気圧導入口(ＤａとＤｂ)は、図１のように縦方向に連設されて相互に接続されており、気圧導入部(Ｄ１とＤ２)の内部で連通するように配置構成されており、２つの気圧導入口(ＤａとＤｂ)から導入された大気は、共通する経路(３６−３８−３９)を通して、容器本体Ａの内部に導かれている。
【００１８】
なお、本願発明の一実施形態である、図１〜３に示したす海洋観測用ブイ２００の容器本体Ａとのその内部の構成は、図４〜７に示した従来例であるブイ２００の容器本体ａとその内部の構成と、基本的には同様のものとしているので、重複する各部材や構成についての説明はここでは省略する。
【００１９】
図１の海洋観測用ブイ２００では、その内部へ大気を導くため、第１気圧導入部Ｄ１と第２気圧導入部Ｄ２の２つが配設され、それらの気圧導入部が備える２つの気圧導入口は連通させる手段によって相互に接続されて、２つの気圧導入口(ＤａとＤｂ)の間で通気路(流路または管路)が形成されており、２つの気圧導入口から導入された大気は、共通する経路を通して容器本体Ａの内部に導かれている。
【００２０】
第１気圧導入部Ｄ１は、容器上部本体Ａ１の球面部の上部中央にある突設部５０の上側に配設され、大気を導入するために水平方向を向いた気圧導入口Ｄａを備え、この気圧導入口Ｄａから続いて、横経路３５−縦経路３６−縦経路３８−内部経路３９と経由して、気圧計Ｋに大気が導入されるような通気路(流路)が形成されている。
そして、第１気圧導入部Ｄ１の上部には第２気圧導入部Ｄ２を載置するように連設して配置させ、第１気圧導入部Ｄ１と第２気圧導入部Ｄ２とを接続し、それらの間で通気路(流路)が形成されるように構成される。
ここで、第１気圧導入部Ｄ１の上部面には通気接続部３７を備えており、この通気接続部３７によって第２気圧導入部Ｄ２に接続して大気を通気することができる。
【００２１】
第２気圧導入部Ｄ２は、大気を導入するために水平方向を向いた気圧導入口Ｄｂを備え、この気圧導入口Ｄｂから続いて、横経路４５−縦経路４６を経由して大気を通気させる。また、第２気圧導入部Ｄ２の下部には、第１気圧導入部Ｄ１の接続通気部３７に螺合手段などによって接続させるとともに、その内部で大気を通気させるための通気接続部４１を備えている。
【００２２】
第２気圧導入部Ｄ２において、外部から導入された大気は、この気圧導入口Ｄｂから入ると、第２気圧導入部Ｄ２の横経路４５−縦経路４６−通気接続部４１を経由して、つぎに、第１気圧導入部Ｄ１に移動して通気し、第１気圧導入部Ｄ１の接続通気部３７から続いて、横経路３５−縦経路３６−縦経路３８−内部経路３９と経由して、装置内部の気圧計Ｋに大気が導入される共通の通気路(流路、管路)が形成されている。
【００２３】
図２は、図１の海洋観測ブイ２００において、気圧導入部Ｄの気圧導入口(ＤａとＤｂ)の冗長化を説明するための要部の拡大断面図であり、図３は、図２の海洋観測ブイ２００の要部の分解図である。
本発明による水上設置装置の一実施形態である海洋観測ブイ２００は、気圧導入手段を備えていて、その気圧導入手段は気圧導入口を冗長化する手段を備えている。
そして、その気圧導入口の冗長化は、具体的には図２と図３とに示すように、気圧導入口を複数備えること、すなわちここでは第１気圧導入部Ｄ１と第２気圧導入部Ｄ２の２つが配設されていて、それぞれが気圧導入口(ＤａとＤｂ)を備えることによって構成されている。
【００２４】
図２および図３においては、第１気圧導入部Ｄ１と第２気圧導入部Ｄ２とはブイ２００の上部に上下(天地)方向に重ねられて連設されて配置されており、２つの気圧導入口(ＤａとＤｂ)は連通させる手段によって相互に接続されている。そして、これらの２つの気圧導入口(ＤａとＤｂ)の間では、通気路(流路または管路)が形成されていて、２つの気圧導入口(ＤａとＤｂ)から導入された大気は、共通する経路を通して容器本体Ａの内部に導かれている構造となっている。
【００２５】
図２および図３のブイ２００においては、第１気圧導入部Ｄ１と第２気圧導入部Ｄ２とは同じ構造のものとして示されており、図３のように、第１気圧導入部Ｄ１は通気接続部３１を、第２気圧導入部Ｄ２は通気接続部４１を備えている。また、それらの通気接続部(３１と４１)は、その外周にネジ部(ｎ１とｎ２)を有していて、螺合手段によって相互に部材が接続できるネジ式接続構造を備えている。
【００２６】
図２および図３のブイ２００においては、「外部から気圧を導入して、各部材を接続して装置内部に通気する構造」としては、装置上部から「キャップ部材６０＋第１気圧導入部Ｄ１＋第２気圧導入部Ｄ２＋突設部５０＋容器上部本体Ａ１」というように、上下方向の直線的な縦列配列を用いた構造となっている。
しかしながら、これは一例に示したに過ぎず、「第１気圧導入部Ｄ１と第２気圧導入部Ｄ２」との配置は、図２、３のような上下縦列ではなく、「第１気圧導入部Ｄ１と第２気圧導入部Ｄ２とを並列」にして水平方向に配置しても勿論よく、その場合には、他の部材もそれに合わせて適宜に設計をすればよいものである。
さらに、第１気圧導入部Ｄ１や第２気圧導入部Ｄ２の通気接続部(３１と４１)の接続手段として、図１〜３ではネジによる螺合手段を用いているが、周知の他の接続手段を用いてもよい。
【図面の簡単な説明】
【００２７】
【図１】本願発明の洋上設置装置の一実施形態としての海洋観測ブイ２００を示す構造図である。
【図２】図１のその海洋観測ブイ２００において、気圧導入口部の冗長化を説明するための要部の拡大断面図である。
【図３】図１のその海洋観測ブイ２００において、気圧導入口部の冗長化を説明するための要部の分解図である。
【図４】洋上設置装置の一例として従来の海洋観測ブイ１００を示す外観斜視図である。
【図５】図４の海洋観測ブイ１００の内部構成を示す図である。
【図６】図４と図５で示した海洋観測ブイ１００の気圧導入口部の断面図である。
【図７】図６で示した海洋観測ブイ１００の気圧導入口部への外的要因を説明するための図である。
【符号の説明】
【００２８】
２００  海洋観測用ブイ（水上設置装置）
Ａ      容器本体
Ａ１    容器上部本体
Ｋ      気圧計
Ｄ      気圧導入部
Ｄ１    第１気圧導入部
Ｄ２    第２気圧導入部
Ｄａ    第１気圧導入部Ｄ１の気圧導入口
Ｄｂ    第２気圧導入部Ｄ２の気圧導入口
３１    第１気圧導入部Ｄ１の通気接続部
４１    第２気圧導入部Ｄ２の通気接続部
ｎ１、ｎ２    通気接続部（３１、４１）のネジ部
３５、３６、３８、３９、４５、４６、    通気路（流路、管路、経路)
３７    第１気圧導入部Ｄ１上部の接続通気部
５０    突設部
６０    キャップ部材
【図１】
2008151536.tif 000003
【図２】
2008151536.tif 000004
【図３】
2008151536.tif 000005
【図４】
2008151536.tif 000006
【図５】
2008151536.tif 000007
【図６】
2008151536.tif 000008
【図７】
2008151536.tif 000009